(57)【要約】  ディスプレイシステムは、入口面と反対側の出口面とを備えた導波路光学パネルを有する。パネルを通して画像を投射して、出口面上に表示するために、投射器が、デジタル結像装置、例えば、デジタルマイクロミラー結像装置と協働する。結像装置は、表示位置と転向位置との反対の位置間で傾斜可能な複数のミラーのアレイを有する。表示位置は、出口面上に表示するために、投射器からの画像光ビームをパネルを通して反射させる。転向位置は、画像光ビームをパネルから離れるように転向させ、又プローブ光ビームをパネルを通して出口面に向けて反射させるために付加的に用いられる。パネル上のスポットを、例えば指を用いて覆うことによって、そこでの検出及び双方向機能の提供のために、プローブ光ビームを反射させてパネルを通して入口面に向けて戻す。
2007504532.tif 000002
【特許請求の範囲】
【請求項１】
互いに積み重ねられた複数の光導波路を有し、それらの各第１の端部が入口面を画成し、それらの反対側の各端部が出口面を画成する光学パネルと、
画像光ビームを投射するための投射器と、
前記画像光ビームを前記パネルへと選択的に反射させて前記出口面上に画像を形成するために、前記投射器と前記入口面との間に光学的に整列されたデジタルマイクロミラー結像装置であって、各々が表示位置と転向位置との反対の位置間で独立して傾斜可能な複数のミラーのアレイを有し、前記表示位置では前記出口面上に表示するために前記画像光ビームを外側に向けて前記入口面内へと前記出口面方向に反射させ、前記転向位置では前記画像光ビームを前記入口面から離れるように転向させるデジタルマイクロミラー結像装置と、
前記転向位置にある前記ミラーに向けてプローブ光ビームを指向させるために前記結像装置と光学的に整列されたプローブ要素であって、該ミラーが前記プローブ光ビームを外側に向けて前記入口面内へと前記出口面方向に反射させるようになっているプローブ要素と、
前記出口面上のスポットを覆うことで前記導波路を通して前記入口面方向に内側に向かって移動する前記プローブ光ビームを検知する光センサと、
を有することを特徴とするディスプレイシステム。
【請求項２】
更に、前記結像装置に動作可能に結合されたコントローラを有し、該コントローラは、前記複数のミラーを独立して前記表示位置と前記転向位置との間で選択的に位置付けて、前記外側に向かうプローブ光ビームからのプローブパターンと時間的に交替する前記画像を前記外側に向かう画像光ビームから前記出口面上に集合的に形成するように構成されており、前記プローブパターンは、前記プローブ光ビームを外側に向けて前記出口面へと導くこと、及び該プローブ光ビームを前記覆われたスポットの下で内側に向けて前記光センサへと反射させることのそれぞれのための、隣接する各導波路を含むことを特徴とする請求項１に記載のディスプレイシステム。
【請求項３】
前記コントローラは、前記複数のミラーのうちのいくつかを前記転向位置に位置付けて、前記プローブ光ビームを、少なくとも１つの外側に向ける導波路を通し、且つ、少なくとも１つの隣接する内側に向ける導波路を通さずに反射させて、前記外側に向かうプローブ光ビームと前記内側に向かうプローブビームとを独立して導くように構成されていることを特徴とする請求項２に記載のディスプレイシステム。
【請求項４】
前記コントローラは、前記スポットを覆うことで前記内側に向かうプローブ光ビームを検出するために、前記光センサに動作可能に結合されていることを特徴とする請求項２に記載のディスプレイシステム。
【請求項５】
前記コントローラは、前記内側に向かうプローブ光ビームを、前記外側に向かうプローブ光ビーム、及び前記画像を形成する前記外側に向かう画像光ビームから識別するように、前記光センサに動作可能に結合されていることを特徴とする請求項２に記載のディスプレイシステム。
【請求項６】
前記光センサは、前記導波路内の光を検出するために前記複数の導波路と交差しており、又前記光センサは、前記内側に向かうプローブ光ビームが導かれている導波路を判定するために前記コントローラに動作可能に結合されていることを特徴とする請求項２に記載のディスプレイシステム。
【請求項７】
前記プローブ要素は、前記画像光ビームの赤外線成分を前記プローブ光ビームとして反射させて前記転向位置にある前記ミラーへと戻し、前記プローブ光ビームを前記入口面内へと反射させるために、前記結像装置と光学的に整列されたダイクロイック要素を有することを特徴とする請求項２に記載のディスプレイシステム。
【請求項８】
更に、前記赤外線プローブ光ビームを反射させて前記結像装置へと戻して、前記入口面内へと反射させるために、前記ダイクロイック要素と前記結像装置との間に光学的に整列された折り返しミラーを有することを特徴とする請求項７に記載のディスプレイシステム。
【請求項９】
前記プローブ要素は更に、前記赤外線プローブ光ビームを変調して、前記コントローラが前記プローブ光ビームを前記導波路内の外来の光から区別できるようにするために、前記結像装置と光学的に整列された光変調器を有することを特徴とする請求項８に記載のディスプレイシステム。
【請求項１０】
更に、前記赤外線成分が前記ダイクロイック要素から反射された時に前記画像光ビームの可視光成分を吸収するために、前記ダイクロイック要素と光学的に整列された光ダンプを有することを特徴とする請求項８に記載のディスプレイシステム。
【請求項１１】
前記プローブ要素は、前記転向位置にある前記ミラーに向けて赤外線プローブ光ビームを指向させて、そこから外側に向けて前記入口面内へと反射させるために、前記結像装置と光学的に整列された赤外光投射器を有することを特徴とする請求項２に記載のディスプレイシステム。
【請求項１２】
前記プローブ要素は更に、前記赤外線プローブ光ビームを変調して、前記コントローラが前記プローブ光ビームを前記導波路内の外来の光から区別できるようにするために、前記結像装置と光学的に整列された光変調器を有することを特徴とする請求項１１に記載のディスプレイシステム。
【請求項１３】
更に、前記転向位置にある前記ミラーから反射された前記画像光ビームを吸収するために、前記結像装置と光学的に整列された光ダンプを有することを特徴とする請求項１１に記載のディスプレイシステム。
【請求項１４】
前記コントローラは、前記プローブ光ビームを前記出口面上を移動するドットとしてラスターするように構成されており、又前記コントローラは、前記移動するドットを取り囲む少なくとも１つの導波路内の前記内側に向かうプローブ光ビームを前記光センサによって検出することで、前記スポットの位置を判定することを特徴とする請求項６に記載のディスプレイシステム。
【請求項１５】
前記光センサは、前記導波路内の光を検出するために前記複数の導波路と交差する複数のフォトダイオードのアレイを有しており、前記コントローラは、前記スポットの下の少なくとも１つの導波路内の前記内側に向かうプローブ光ビームを前記光センサによって検出することにより、前記覆われたスポットの横断方向の位置を判定するように構成されていることを特徴とする請求項６に記載のディスプレイシステム。
【請求項１６】
前記光センサは、前記光学パネルの１つの側部を横断している、複数のフォトダイオードの第１のアレイと、前記光学パネルの反対側の第２の側部を横断している、複数のフォトダイオードの第２のアレイと、を有し、
前記コントローラは更に、前記スポットの下の前記導波路内の前記検出された内側に向かうプローブ光ビームの前記第１及び第２のフォトダイオードアレイにおける相対強度の比較に応じて、前記覆われたスポットの横方向の位置を判定するために、前記第１及び第２のフォトダイオードアレイと動作可能に接続された比較器を有する、
ことを特徴とする請求項６に記載のディスプレイシステム。
【請求項１７】
前記コントローラは、対応する導波路内の外側に向かうプローブ光ビームと、前記外側に向かうプローブ光ビームを持たない中間の導波路との、交互の横方向ストライプを含む前記プローブパターンを生成するように構成されていることを特徴とする請求項１６に記載のディスプレイシステム。
【請求項１８】
前記複数の導波路の各々は、前記パネルの幅にわたって水平に延在しており、前記複数の導波路は、前記パネルの高さ方向に沿って垂直に互いに積み重ねられていることを特徴とする請求項１に記載のディスプレイシステム。
【請求項１９】
前記スポットを覆うことは、指、掌、ペンシルイレイザー、スタイラス及び紙から成る群から選択される少なくとも１つのカバー要素によって行われることを特徴とする請求項１に記載のディスプレイシステム。
【請求項２０】
前記カバー要素は、前記外側に向かうプローブ光ビームの少なくとも一部を隣接する導波路内へと反射させ、これにより前記内側に向かうプローブ光ビームを提供することを特徴とする請求項１９に記載のディスプレイシステム。
【請求項２１】
前記カバー要素は、前記出口面に接触することを特徴とする請求項１９に記載のディスプレイシステム。
【請求項２２】
前記カバー要素は、前記出口面から離間していることを特徴とする請求項１９に記載のディスプレイシステム。
【請求項２３】
前記各導波路は、リボンの形態であることを特徴とする請求項１に記載のディスプレイシステム。
【請求項２４】
導波路が積み重ねられた光学パネルを有し、投射器からの画像光が照射されたデジタルマイクロミラー結像装置の傾斜可能な複数のミラーから反射された画像をその出口面上に表示するディスプレイシステムに双方向性を与える方法において、
前記投射器からの前記画像光を前記パネルを通して反射させて前記画像を表示するために、前記複数のミラーをそれぞれの表示位置に選択的に傾斜させること、
前記投射器からの前記画像光を前記パネルから離れるように転向させるために、前記複数のミラーをそれぞれの転向位置に選択的に傾斜させること、
前記出口面上にプローブパターンとして表示するために、プローブ光ビームを前記転向位置にある前記ミラーから外側に向けて前記光学パネル内へと反射させること、及び
前記出口面上の覆われたスポットの下の前記出口面から内側に向かう前記プローブ光ビームの少なくとも一部の反射を検出して、前記覆われたスポットの位置を判定すること、
を含むことを特徴とする方法。
【請求項２５】
前記画像と前記プローブパターンとは、前記出口面上で時間的に交替されることを特徴とする請求項２４に記載の方法。
【請求項２６】
前記外側に向かうプローブ光ビーム及び前記内側に向かうプローブ光ビームは、隣接する各導波路を通して独立して導かれることを特徴とする請求項２４に記載の方法。
【請求項２７】
前記投射器からの前記画像光は、可視光及び赤外光の両方を含み、前記プローブ光ビームは赤外光であることを特徴とする請求項２４に記載の方法。
【請求項２８】
更に、前記赤外光を前記画像光から分離すること、及び前記パネルを通して反射される前記プローブ光ビームを生成するために前記分離された赤外光を前記転向位置にある前記ミラーへと戻すこと、を含むことを特徴とする請求項２７に記載の方法。
【請求項２９】
前記赤外光を前記画像光から分離することは、ダイクロイック要素を用いて行われることを特徴とする請求項２８に記載の方法。
【請求項３０】
前記分離された赤外光を前記転向位置にある前記ミラーへと戻すことは、折り返しミラーを用いて行われることを特徴とする請求項２９に記載の方法。
【請求項３１】
更に、前記ダイクロイック要素を用いた前記赤外光の分離の後に、光ダンプで残りの可視光を吸収することを含むことを特徴とする請求項２９に記載の方法。
【請求項３２】
更に、前記プローブ光ビームを前記パネル内の外来の光から区別するために、前記プローブ光ビームを変調することを含むことを特徴とする請求項２４に記載の方法。
【請求項３３】
更に、前記プローブ光ビームのための独立した投射器からの該プローブ光ビームを、前記転向位置にある前記ミラーから反射させることを含むことを特徴とする請求項２４に記載の方法。
【請求項３４】
更に、前記プローブ光ビームを前記パネル内の外来の光から区別するために、前記プローブ光ビームを変調することを含むことを特徴とする請求項３３に記載の方法。
【請求項３５】
前記複数の導波路の各々は、前記パネルの幅にわたって水平に延在しており、前記複数の導波路は、前記パネルの高さ方向に沿って垂直に互いに積み重ねられていることを特徴とする請求項２４に記載の方法。
【請求項３６】
前記覆われたスポットは、指、掌、ペンシルイレイザー、スタイラス及び紙から成る群から選択される少なくとも１つのカバー要素によってもたらされることを特徴とする請求項２４に記載の方法。
【請求項３７】
更に、前記外側に向かうプローブ光ビームの少なくとも一部を前記カバー要素で隣接する導波路内へと反射させ、これにより前記内側に向かうプローブ光ビームを提供することを含むことを特徴とする請求項３６に記載の方法。
【請求項３８】
前記カバー要素は、前記出口面に接触することを特徴とする請求項３６に記載の方法。
【請求項３９】
前記カバー要素は、前記出口面から離間していることを特徴とする請求項３６に記載の方法。
【請求項４０】
前記各導波路は、リボンの形態であることを特徴とする請求項２４に記載の方法。
【発明の詳細な説明】
【技術分野】
【０００１】
連邦政府によって援助された研究又は開発に関する記述
本発明は、エネルギー省によって与えられた契約番号ＤＥ−ＡＣ０２−９８ＣＨ１０８８６による政府支援をもってなされた。政府は、本発明に一定の権利を有する。
【０００２】
発明の背景
本発明は、一般には、光導波路、より詳細には、それで形成された光学パネルに関する。
【背景技術】
【０００３】
米国特許第５，３８１，５０２号は、互いに積層された複数のリボン状光導波路を有する多平面光学ディスプレイ（ＰＯＤ：polyplanar optical display）を開示している。画像光は、その中での全内部反射（全反射）のために、ディスプレイの入口面を通して投射され、パネルの反対側の出口面端部においてビデオ（映像、テレビ）画像が表示される。
【０００４】
米国特許第５，４５５，８８２号は、双方向（インタラクティブ）動作のために構成された別の形態のＰＯＤパネルを開示している。ビデオ画像は、積み重ねられた複数の導波路を通して外側に向けて投射される。又、双方向性光ビームを、出口面を通して入口面へと内側に向けて指向させることができ、そのスクリーン上の位置を、双方向機能を提供するために検出することができるようになっている。
【０００５】
いずれの特許においても、同様に構成された光学パネルが、入口面から反対側の出口面への方向、出口面から反対側の入口面への方向のいずれの方向における光伝達（透過）も可能とする。この能力は、テレビジョン用の高解像度表示画面（ビューイングスクリーン）、コンピュータモニタ、及び所望により種々のその他のタイプの表示画面を提供するために、光学パネルを種々の用途において用いることを可能とする。
【０００６】
種々の形態のディスプレイスクリーンとの双方向性を提供するために、別個の機械的なキーボードが一般的に知られている。しかしながら、機械的なキーボードは、システムのサイズ、複雑さ、及びコストを増大させる、付加的な構成部品である。
【０００７】
従来のタッチスクリーンは、双方向機能のための別の方法を提供する。タッチスクリーンは、出口面に被せられる種々の形態を有していてよく、又タッチスクリーンの種々の部分を単に押すことによって双方向性を提供することができる。触れられたスポットの位置は、システムによって判定され、又タッチスクリーンを通して出口面によって表示される双方向オプションに対応する。タッチスクリーンは、独立した装置であり（即ち、出口面から分離されている）、これはシステムの複雑さ及びコストを増大させる。
【０００８】
従って、実施するにあたり相当の利点を有する双方向機能を備えたディスプレイシステムを提供することが求められている。
【発明の開示】
【０００９】
本発明のディスプレイシステムは、入口面と反対側の出口面とを備えた導波路光学パネルを有する。パネルを通して画像を投射して、出口面上に表示するために、投射器が、デジタルマイクロミラー結像装置と協働する。結像装置は、複数のミラーのアレイを有し、各ミラーは、表示位置と転向位置との反対の位置間で独立して傾斜可能である。表示位置は、出口面上に表示するために、投射器からの画像光ビームをパネルの入口面を通して出口面に向けて反射させる。転向位置は、画像ビームをパネルから離れるように転向させ、又プローブ光ビームを入口面を通してパネルの出口面に向けて反射させるために付加的に用いられる。パネル上のスポットを覆うことによって、そこでの検出及び双方向機能の提供のために、プローブ光ビームの一部を反射させてパネルを通して出口面から入口面に向けて戻す。
【００１０】
本発明を、好ましく又典型的な実施形態に従って、その更なる目的及び利点と共に、以下の詳細な説明において添付の図面と関連して更に詳しく説明する。
【発明を実施するための最良の形態】
【００１１】
好ましい実施形態の詳細な説明
図１は、本発明の典型的な一実施形態に従う双方向性ディスプレイシステム１０を示す。ディスプレイシステム１０は、複数のリボン状光導波路１４を備えた光学ディスプレイパネル１２を含む複数の構成部品の組み立て体である。各導波路１４は、パネル１２の横方向、即ち、水平方向の幅の全体にわたって延在する。又、複数の導波路１４は、垂直方向、即ち、横断方向に互いに積み重ねられ、パネル１２の高さの全体を規定する。
【００１２】
光学パネル１２は、例えばベリグダン（Veligdan）に対する米国特許第５，３８１，５０２号に示される、サイズを減少させる楔形などの、種々の方法にて配置された複数の導波路を有する、任意の従来の形態を有していてよい。図２に示すように、複数の導波路１４は、好ましくは、実質的に同一のサイズを有し、一列に互いに垂直方向に積み重ねられる。複数の導波路１４は、それらの第１の、即ち、後方の各端部が、集合的に平坦な入口面１６を画成し、又それらの反対側の第２の、即ち、前方の各端部が、集合的に平坦な表示出口面１８を画成する。
【００１３】
図３により詳細に示すように、各導波路１４は、クラッド層１４ｂの間に配置された光学的に透明なコア１４ａを有する。コア１４ａとクラッド１４ｂとの間の屈折率の違いによって、画像光ビーム２０を、従来の方法の全反射で、個々の導波路１４を通して導くことができる。図２に示すように、画像ビーム２０は、図１に示される画像（又は、ビデオ画像）２２として出口面１８上に表示するために、入口面１６上に投射される。
【００１４】
図３に示すように、クラッド１４ｂは、ディスプレイシステム１０と相互作用（対話）する観察者、即ち、使用者によって観察された時の画像のコントラストを増強するために、好ましくは、暗色（例えば、黒色）である。
【００１５】
図１及び図２に初めに示すように、ディスプレイシステム１０の種々の構成部品は、好ましくはディスプレイ１０に必要なスペースを最小化するために比較的薄型の、適当なハウジング２４内に取り付けることができる。入口面１６がパネル１２の幅及び高さの全体にわたって延在しているので、入射画像光２０を再指向（リダイレクト）させてハウジング２４に必要な奥行き（深さ）を最小化するように、光結合器（ライトカプラ）２６を入口面１６上に付加的に設けることが望ましい。
【００１６】
好ましい一実施形態では、結合器２６は、パネル１２の幅全体に沿って直線状で、且つ、パネル１２の高さ方向に沿って垂直に離隔された複数のフレネルプリズム式微小溝（Fresnel prismatic microscopic grooves）を有する。結合器２６の好ましい形態は、３Ｍ  カンパニー［ミネアポリス  セントポール］から商品名ＴＲＡＦ  ＩＩとして市販されている透過型直角フィルム（ＴＲＡＦ：Transmissive Right Angle Film）である。このＴＲＡＦフィルムは、画像光２０を、光学パネル１２の背面上に小さく鋭い角度にて投射し、次いで複数の導波路１４を通して導いて出口面１８から表示させるように約９０度までの角度で再指向させることを可能とする。ビスカーディ（Biscardi）らに対する米国特許第６，３０１，４１７号に記載されるタイプである、その他のタイプの結合器も代わりに用いることができる。或いは、結合器２６は省略することができ、画像ビームは典型的なリアプロジェクション（背面投射）方式にて入口面に直接向けることができる。
【００１７】
光学パネル１２は、その入口面側と出口面側との間でいずれの方向においても光が内部を伝達（透過）され得る複数の積み重ねられた光導波路を利用した、任意の適当な構成を有していてよい。図２及び図４に模式的に示すように、光学パネル１２は、適当な光投射器（プロジェクタ）２８と協働するようにハウジング２４内に取り付けられる。この光投射器２８は、任意の所望のビデオ画像２２を形成するのに用いられる光を投射するための、任意の従来の構成を有する。投射器２８から出る光は、好ましくは、散乱光よりはむしろビームの形態である。
【００１８】
例えば、投射器２８は、白色光を生成するためのランプを有していてよい。この白色光は、出口面１８上に任意の所望のビデオ画像２２を生成するのに用いるための適当な投射レンズを通して投射される。例えば、投射器２８の内部又は外部において既知の方法にて従来のカラーホイールを回転させることによって、光ビームに色彩を加えてもよい。
【００１９】
投射器２８は、所望のビデオ画像をデジタル的に生成するために、デジタル結像装置（イメージングデバイス）３０と協働する。任意の適当なデジタル結像装置を使用することができるが、デジタルマイクロミラーデバイス（ＤＭＤ：Digital Micromirror Device）結像装置３０が好ましい。ＤＭＤ３０は、投射器２８と入口面１６との間に光学的に整列される結像装置であり、これは画像ビーム２０を協働する投射レンズ３２を通して選択的に反射させてビデオ画像を形成する。この結像装置３０は、例えば、何千もの微小サイズの結像ミラー（microscopically sized image mirrors）３４のアレイを有する小さな半導体光スイッチである。各ミラー３４は、駆動された時に典型的には±１０度の角度範囲で前後に独立して傾斜されるように、ヒンジ上に取り付けられている。駆動されていない時には、個々のマイクロミラー３４は、中間の弛緩位置をとる。ＤＭＤ３０は、テキサス  インスツルメンツ  インコーポレイテッド［テキサス州  ダラス］から市販されている従来の装置である。これは、種々の用途のためにデジタル画像を生成する際に、デジタル光プロセスにおいて使用するためのものである。
【００２０】
ＤＭＤ結像装置３０は、その中の何千ものマイクロミラー３４の各々を独立して制御するために用いられる従来の電子的ドライバ３６と協働するものとして、図４に模式的に示されている。結像装置３０は、ドライバ３６を介して電気的コントローラ３８に動作可能に結合されている。これにより、結像装置３０の動作、及びパネル１２上に表示されるビデオ画像２２の形成を制御できるようになっている。
【００２１】
コントローラ３８は、任意の適当な目的のために任意の所望のビデオ画像を表示するための適当なソフトウェアでプログラムされたデジタルマイクロプロセッサなどの、任意の従来の構成をとることができる。コントローラ３８は、普通のテレビジョンビデオ画像をパネル１２から表示するため、或いは典型的にはコンピュータモニタ、現金自動預け払い機（ＡＴＭ）等の上に表示されるその他のビデオ画像を表示するために用いることができる。
【００２２】
本開示の目的で、「外側に向かう（外側に向ける）（outbound：アウトバウンド）」なる用語は、入口面１６から出口面１８に向かう方向であるとして定義し、「内側に向かう（内側に向ける）（inbound：インバウンド）」なる用語は、出口面１８から入口面１６に向かう方向であるとして定義する。
【００２３】
図５は、コントローラ３８によって傾斜（ティルト）配向性が制御される複数のマイクロミラー３４のうちの典型的な１つを模式的に拡大して示す。各ミラー３４は、駆動されていない時の中心位置、即ち、弛緩位置から典型的には±１０度である、反対（逆）側の表示位置と転向位置との間で傾斜可能である。第１の位置、即ち、表示位置は、図５中に仮想線にて示されており、この位置は、投射器２８とパネル１２の入口面１６との間に光学的に整列されており、これにより画像ビーム２０を外側に向けて入口面１６内へと反射させ、出口面１８上に表示させて、所望のビデオ画像を集合的に形成できるようになっている。第２の位置、即ち、転向位置は実線にて示されており、この位置は、投射器２８からの画像ビーム２０を入口面１６から離れるように転向（方向転換、迂回）させ、ビデオ画像の暗部を生成する。
【００２４】
個々のミラー３４は、所望により種々の色彩の相対的に明るい部分と相対的に暗い部分とを有するビデオ画像全体の、対応するピクセルを独立して規定する。
【００２５】
画像投射器２８及び光学パネル１２と協働するＤＭＤ３０の動作は、光学パネル上に任意の所望のビデオ画像を生成するための従来のものである。実際には、個々のミラー３４は、それらの表示位置と転向位置との間で高速に振動して、様々な程度の画像強度又はコントラストを有するビデオ画像を生成できるようになっている。ビデオ画像は時間的に連続して投射することもできるが、典型的な一実施形態では、ビデオ画像は、６０ヘルツの画像リフレッシュ速度を有する通常のテレビの方式にて、サイクル又は時間的フレームとして投射することができる。
【００２６】
本発明の著しい特徴によれば、結像装置３０は、ビデオ画像を生成することとは独立して付加的に動作させることができる。これにより、新規な方法にて基本的なディスプレイシステムの利用可能な電子的構成部品を用いて、比較的単純な方法で双方向機能を提供することができる。
【００２７】
より詳細には、図５には、１つの典型的な構成を模式的に示す。この構成は、双方向性の光ビーム、即ち、プローブ光ビーム４０を、転向位置にあるミラー３４から外側に向けて光学パネル１２の入口面１６内へと出口面方向に反射させるように結像装置３０と光学的に整列されている。この構成では、任意の双方向作用において用いるべく使用者が出口面１８の任意の部分を触れたか否かを判定するために出口面１８をプロービング（調査）する１つの方法が提供される。この構成の光学パネル１２は、投射される画像のための表示出口面１８だけではなく、任意の所望の双方向機能のために使用することのできる一体型のタッチスクリーンをも規定する。
【００２８】
図４は、個々の導波路１４内の光を検出するために、光学パネル１２の入口側面上に配置され、その高さ全体にわたって横断している光センサ４２を模式的に示す。光センサ４２は、例えば可視光及び赤外光を含む光を検出して、それに対応する相応の電気信号を生成する１つ以上のフォトダイオードなどの、任意の従来の形態を有していてよい。光センサ４２は、コントローラ３８に動作可能に結合されており、検出された光の指示値をそれに提供できるようになっている。
【００２９】
図６は、光学パネル１２への外側に向かうプローブ光ビーム４０の動作をより詳細に示す。プローブ光ビーム４０は出口面１８上に表示される。又、使用者は、出口面１８に触れて、スポット４４の形態にてその一部を覆うために、例えば、指を用いることができる。指の存在は、表示されたプローブ光ビーム４０の覆われた部分を、同一又は隣接する導波路を通して入口面１６へと反対方向に内側に向けて反射させるために有効である。反射された内側に向かうプローブ光ビームは、次いで光センサ４２によって検出されて、出口面１８が触れられたことを示すことができる。又、好ましい実施形態では、反射された内側に向かうプローブ光ビームは、指が出口面１８に触れた正確な２次元的位置を特定するために用いることができる。
【００３０】
この能力は、図４に模式的に示すようにディスプレイシステム１０を双方向操作するために有用である。結像装置３０は、可視画像２２を、使用者が利用できる複数の選択肢のメニューなどの適当な双方向性の形態にて投射するために用いることができる。そして、使用者は、利用可能な複数の選択肢の位置のうちのいずれかにおいて出口面１８に直接触れることができ、この位置は、スポット４４の種々の位置によって特定される。ビデオ画像２２自体は、複数のマイクロミラー３４をそれらのそれぞれの表示位置に位置付けることによって生成されるが、双方向性のフィードバックは、その複数のミラーがそれらの転向位置に位置付けられた時にもたらされることに注意されたい。現実に同時である動作は必要ないが、実用上は時間的に同時であるものとして知覚される方法にて、双方向機能を提供している間にビデオ画像をも一緒に表示することのできる種々の方法がある。
【００３１】
図５に示すように、コントローラ（図示せず）は、結像装置に動作可能に結合され、個々のミラー３４を表示位置と転向位置との間で選択的に位置付けるように構成されている。これにより、外側に向かう画像ビーム２０から所望のビデオ画像を出口面１８上に集合的に形成すると共に、少なくとも部分的に、外側に向かうプローブ光ビーム４０から形成される任意の所望の空間的プローブパターンと時間的に交替させるようになっている。
【００３２】
例えば、図６及び図７は、そのために特に構成されたコントローラ３８の動作によって生成されたプローブ光ビームパターンの典型的な形態を示す。プローブパターンは、複数の導波路１４のうちの対応する各１つの中に、出口面１８の幅に対応するそれらの横方向の範囲の全体にわたって存在する外側に向かうプローブ光ビーム４０と、外側に向かうプローブ光ビームを持たない中間の各導波路１４との、空間的に交互の横方向のストライプ（縞）を有していてよい。この方法では、空間的に分離された複数の導波路１４は、入口面１６から出口面１８へと外側に向かうプローブ光ビーム４０をそれぞれ導くために提供される。そして、プローブ光ビーム４０は、光センサ４２による検出のために、光学パネルを通して入口面１６へと内側に向けて戻すように、覆われたスポット４４の下で使用者によって反射され得る。
【００３３】
図６は、覆われたスポット４４の下で１つの導波路を通して外側に向かうプローブ光ビーム４０を、センサ４２による検出のために隣接する各導波路を通して内側に向けて反射されたプローブと共に示す。出口面１８は、外側に向かうプローブ光ビームの少なくとも一部を内側に向けて反射させるために、例えば、指、掌（又はその他の身体部分）、ペンシルイレイザー、スタイラス（針）（即ち、好ましくは先の尖っていないタイプのもの）、又は紙（例えば、バーコード読み取り目的のため）で覆う（カバーする）ことができる。カバー要素（covering element）は、出口面１８に直接接触するようにしても、或いは出口面１８に非常に接近して離間された反射面を提供するようにしてもよい。指／掌は半透明であるため、出口面１８に接触している間に、光を散乱させ、又それによりプローブ光ビームを反射させて隣接する各導波路を通して戻しもすることができる。
【００３４】
図４及び図６に示すように、コントローラ３８は、外側に向かうプローブ光ビームと内側に向かうプローブ光ビームとを独立して導くために、結像装置３０の複数のミラー３４のうちのいくつかを転向位置に選択的に位置付けて、プローブ光ビーム４０を少なくとも１つの外側に向ける導波路１４を通し、且つ、隣接する内側に向ける各導波路を通さずに反射させるように、例えば適当なソフトウェアを用いて構成されている。この方法では、いくつかの導波路を、外側に向かうプローブ光ビームを投射するための専用とすることができ、その他の導波路を、出口面１８の任意の部分が局部的に覆われた時に反射された内側に向かうプローブ光ビームを検出するための専用とすることができる。
【００３５】
コントローラ３８は、スポット４４を覆った時に内側に向かうプローブ光ビームを検出するように、光センサ４２に動作可能に結合されている。又、コントローラ３８は、内側に向かうプローブ光ビームを、外側に向かうプローブ光ビーム、並びに、ビデオ画像を形成する外側に向かう画像ビームから識別（弁別）するようにも構成されている。これは、画像ビーム２０とプローブ光ビーム４０との独立した投射に拘わらず、共通の光学パネル１２で空間的及び時間的な識別の両方を使用することによって達成することができる。
【００３６】
例えば、結像装置３０の動作は、時間的に交互に、ビデオ画像、所望のプローブパターンのいずれかを投射するように用いることができる。ビデオ画像は、双方向性の応答のための任意の所望のメニューを表示するために用いることができる。又、時間的にビデオ画像と織り交ぜて、コントローラ３８を、出口面１８の任意の部分を覆った時に光センサ４２からの双方向性の応答を検出するように動作させることができる。
【００３７】
図１、図３及び図４に模式的に示すように、光センサ４２は、好ましくは、複数のフォトダイオードの直線状アレイの形態である。この直線状アレイは、入口面１６の高さにわたって複数の導波路と交差し、導波路内の任意の光を検出できるようになっている。適当な光センサは、日本国のハママツ  コーポレーション（Hamamatsu Corporation）から市販されている、例えば、１０２４個のダイオードをその中に有するモノリシック構造の（単一基板上に形成された）セルフスキャンニングフォトダイオードアレイを備えた直線状画像センサである。この典型的なセンサは、可視光から赤外（ＩＲ）光まで検出するのに有効である。又、光学パネルの高さにわたって全ての導波路と交差するように、これらのアレイを直線的な群として配置することができる。この方法では、各導波路の垂直方向、即ち、Ｙ方向の位置が、複数のフォトダイオードのうちの対応する各１つと関係付けられていてよく、これにより任意の導波路内の光の検出を、その横断方向、即ち、垂直方向の位置Ｙを判定するために用いることができる。
【００３８】
又、図１、図３及び図４に示すように、好ましくは、一対の実質的に同一の光センサ４２が用いられ、複数のフォトダイオードの第１のアレイ（第１のフォトダイオードアレイ）は、光学パネル１２の第１の側部、即ち、左の側部を横断しており、複数のフォトダイオードの第２のアレイ（第２のフォトダイオードアレイ）は、光学パネル１２の反対側の第２の側部、即ち、右の側部を横断している。左側及び右側のアレイは両方とも、コントローラ３８に関連付けられた従来の比較器（コンパレータ）４６に動作可能に結合されている。そして、比較器４６は、導波路の左側端部及び右側端部において検出された光の相対強度を比較し、左側端部と右側端部との間の対応する横方向、即ち、水平方向Ｘの位置を内挿できるようになっている。この方法では、出口面１８の２次元的な幅及び高さにわたって何処でスポットが覆われたとしても、光センサ４２を用いてその横方向Ｘの位置及び横断方向Ｙの位置を正確に判定することができる。
【００３９】
パネルの出口面１８を、その覆われた部分に関してプロービングする種々の形態を、結像装置３０と組み合わせて用いることができる。図５は、プロービング構成がダイクロイック要素４８を含む典型的な一実施形態を示す。ダイクロイック要素４８は、画像ビーム２０自体の赤外線（ＩＲ）成分をプローブ光ビーム４０として反射させて転向位置にあるミラー３４に戻し、パネルの入口内へとＩＲビーム４０を投射するように結像装置３０と光学的に整列されたダイクロイックミラーなどの、任意の従来の構成を有していてよい。
【００４０】
ダイクロイックミラー４８は、転向位置にあるミラー３４と光学的に整列されており、又それらの間に光学的に整列された平面状の折り返しミラー（フォールディングミラー）５０と協働する。この方法では、マイクロミラー３４によって転向された（そらされた）投射器２８からのオリジナルの光ビームは、そのＩＲ成分を折り返しミラー５０へと反射させて、転向位置にあるミラー３４へと戻すために、ダイクロイック要素４８へと指向させることができる。次いで、この光は、光学パネル１２を通して導いて、出口面１８上でＩＲプローブパターン内に表示するために、投射レンズ３２を通して（同一の外側に向かう表示画像経路内において）反射される。
【００４１】
図５に示す好ましい実施形態では、ＩＲ成分がダイクロイック要素４８から反射された時に、転向された画像ビーム２０の可視光成分を吸収するために、転向位置のミラー３４からの同一の経路の端部において、光ダンプ５２が、ダイクロイック要素４８と、該ダイクロイック要素４８に対して直線的に光学的に整列されている。光ダンプ５２は、ビデオ画像のコントラストを増強するための黒色表面などの、任意の従来の形態を有していてよい。ビデオ画像は、複数のマイクロミラーのアレイ全体の個々のピクセルによって集合的に形成されるので、ミラーの転向された位置、即ち、表示オフ位置は、表示位置、即ち、オン位置にあるミラーから反射された画像光によって形成されるビデオ画像の相対的に明るい部分と比較して、ビデオ画像の相対的に黒色の部分を規定するために用いられる。
【００４２】
出口面１８の任意の部分を覆った時の双方向性のフィードバックのために出口面１８をプロービングするのに赤外光を用いることは、双方向性のプロービング機能と本来のビデオ画像の表示との間の区別を実質的に増大させる。ビデオ画像は、光センサ４２内での検出に供される可視光に基づいている。光センサ４２の動作とプローブパターンとを同期させるためにコントローラ３８を利用することによって、双方向性のフィードバック及び内側に向かうプローブ光ビームの検出を、ビデオ画像が表示される時間とは対照的に、プローブパターンが表示される区間だけに時間的に制限することができる。従って、プローブパターンは、ビデオ画像の生成から時間的に効果的に切り離すことができる。これにより、光センサは、プローブパターン生成区間の間にのみ、出口面１８に触れたことを検出するために用いられる。
【００４３】
図９は、図５の実施形態に類似しているが、プローブ光ビームの反射と、バックグランド、即ち、外来の（異質な）光とを識別する光センサ４２の能力を更に増強するために、振幅変調又は周波数変調などの任意の適当な形態においてＩＲプローブ光ビーム４０を変調するように、プローブ光ビームループの任意の部分において結像装置３０と光学的に整列された光変調器５４を更に有する本発明の別の実施形態を示す。変調器５４は、ＩＲプローブ光ビーム４０を変調して、プローブ光ビームと、動作中に普通に出口面１８に入るもの、又は可視光及び赤外光の両方を含む画像ビーム２０自体に由来してパネル１２内に見られるもののいずれかである外来の赤外光と、を区別するために、任意の従来の形態をとることができる。
【００４４】
これに対して、コントローラ３８は、動作中に光センサ４２によって検知された時に上記の如く変調されたプローブ光ビームを検出するように構成される。この方法では、変調された内側に向かうプローブ光ビームは、光センサによって検出される他の如何なる光に対しても区別することができ、これにより覆われたスポットを正確に位置付けることができるようになっている。
【００４５】
上述の図５及び図９において、画像光２０のＩＲ成分は、出口面１８上に所望のＩＲプローブパターンを形成するために、転向位置にあるマイクロミラー３４へのループ内に循環して戻される。この方法では、そうでなければ転向位置において浪費される画像ビームを、双方向性のフィードバックを検出するために出口面１８をプロービングする付加的な機能のために部分的に使用することができる。
【００４６】
一方、図１０は、図５及び図９に示すものと同様の方法にて動作する本発明の別の実施形態を示す。この実施形態では、更に、プロービング構成は、ＩＲプローブ光ビーム４０を放射し、又ＩＲプローブ光ビーム４０を転向位置にあるミラー３４から外側に向けて入口面１６内へとディスプレイパネル１２の出口面方向に反射させるために、転向位置にある結像装置のマイクロミラー３４と光学的に整列された独立した赤外光投射器５６を有する。この実施形態では、光ダンプ５２は、ミラーがその転向位置に傾斜された時に画像ビーム２０を吸収するために、結像装置と直接光学的に整列されている。
【００４７】
図１０に示す実施形態の動作は、双方向機能のためにビデオ画像とプローブパターンとを時間的に交互に表示させる上述のものと同じである。ビデオ画像は、出口面１８上の選択されたスポットを覆うことで、外側に向かうプローブ光ビームの少なくとも一部をパネル内へと反射させて戻すように、任意の所望の双方向性メニューを有していてよい。そして、覆われたスポットの２次元的な位置は、戻るビームが内部を導かれる導波路の横断方向、即ち、垂直方向の位置Ｙを特定すると共に、左側及び右側の光センサアレイ間での戻るビームの相対強度を比較して横方向、即ち、水平方向の位置Ｘを判定することによって、コントローラにおいて判定することができる。上記の如く特定された出口面１８上の覆われたスポットは、双方向機能の任意の所望の用途のためにコントローラ内に情報を入力するなどの、双方向機能のための任意の従来の方法において用いることができる。
【００４８】
図４及び図７に示すように、コントローラ３８は、個々の導波路１４に対応する交互のストライプなどの、任意の所望のプローブパターンを生成するように構成することができる。別の典型的なプローブパターンが、図４と関連して図８に示されている。ここでは、コントローラ３８は、双方向性の活動が望まれる出口面１８の任意の部分の上を移動（走行）するドットとしてプローブ光ビーム４０をラスター（走査）するように構成される。そして、プロービングドットが出口面１８上の任意の覆われたスポット４４の下を通過する時に、外側に向かうプローブ光ビームの少なくとも一部をスポットの下で反射させて、ドットを取り囲む１つ以上の導波路内に、内側に向かうプローブ光ビームを形成することができる。
【００４９】
Ｘ、Ｙ軸に沿って移動するドットの正確な位置は、本質的にコントローラ３８において判定することができるので、覆われたスポット４４の位置は、そこで光センサが内側に向かうプローブ光ビームを検出するＸ、Ｙ位置として容易に判定することができる。この実施形態では、各導波路内で内側に向かうプローブ光ビームを検出するように構成された任意の単純な光センサで十分に、スポットの検出を既知の位置の移動するドットと調和、即ち、同期させることができるので、左側及び右側のセンサアレイの両方は要求されない。
【００５０】
以上に開示した典型的な各実施形態は、デジタルマイクロミラー結像装置３０と組み合わされた、導波路が積み重ねられた光学パネル１２に双方向機能をもたらすための、種々の可能性を示している。この組み合わせを動作させる対応する方法は、図４及び図５に模式的に示されており、これは複数のマイクロミラー３４をそれぞれの表示位置へと選択的に傾斜させ、投射器２８からの画像光２０を光学パネル１２を通して反射させて、任意の所望のビデオ画像２２を表示させることを含む。複数のミラー３４はまた、それらのそれぞれの転向位置へと選択的に傾斜され、画像光をパネル１２から離れるように転向させ、ビデオ画像をそのフレーム間で遮断する。そして、プローブ光ビーム（例えば、上述して説明したように、ダイクロイック要素４８を利用することによって得られるもの）を、転向位置にあるミラーから外側に向けて光学パネル１２内へと反射させることができ、これによりプローブパターンを、出口面１８上に、時間的に画像フレームと交互の対応するパターンフレームとして表示させることができる。
【００５１】
出口面１８上の任意の適当なスポット４４を覆った時に、そのスポットの位置を、上述のように１つ以上の光センサを用いて検出することができる。そして、覆われたスポット４４の位置の論理的な座標及び対応するメニューを、双方向機能のための任意の従来の方法において用いることができる。
【００５２】
好ましい実施形態では、ビデオ画像２２とプローブ光４０のパターンとは、それらの対応する独立したフレームにおいて出口面１８上で時間的に交替される。例えば、ビデオ画像２２は、６０ヘルツで表示することができ、この時プローブパターンもまた、そうでなければブランク（空白）フレームである画像フレーム間に、６０ヘルツで表示することができる。
【００５３】
更に、外側に向かうプローブ光ビームと内側に向かうプローブ光ビームとは、好ましくは、隣接する導波路１４を通して独立して導かれ、交互のストライプ、又は好ましくはビデオ画像を持たないバックグランドフィールド（背景視野）内を移動するドットなどの、任意の所望のプローブパターンを生成する。勿論、別法として、内側に向かうプローブ光ビーム及び外側に向かうプローブ光ビームの両方を、同一の導波路内で伝達することもできる。
【００５４】
画像光２０は、典型的には、可視光及びＩＲ光の両方を含んでいるので、導波路内のプローブ光の、導波路内に見られる外来の光、即ち、他のバックグランド光に対する増強された識別性を提供するために、プローブ光ビーム４０は、好ましくは、ＩＲ光のみである。この方法では、導波路内の外来の光から区別された内側に向かうＩＲプローブ光ビームを専ら検出するように、コントローラを光センサと共に使用することができる。双方向機能を改善するために、任意の適当な形態のプローブ光ビームの変調を用いて、導波路内へと内側に向かうプローブ光ビームの反射の検出の識別性を増強することができる。
【００５５】
図５に示す典型的な実施形態では、画像光２０からのＩＲ光成分は、ダイクロイック要素４８によって分離され、折り返しミラー５０によって転向位置にあるマイクロミラー３４へと戻されて、パネル１２を通して投射されるＩＲプローブ光ビームを生成できるようになっている。
【００５６】
図１０に示す別の実施形態では、プローブ光ビーム４０を転向位置にあるミラー３４から光学パネル１２を通して反射させて、双方向性のプロービング機能を提供するために、独立したＩＲ光投射器５６が用いられる。ＩＲ光投射器５６は、好ましくは、変調されたＩＲ光をそこから投射する。或いは、ＩＲプローブ光ビーム４０を変調するために、別個の光変調器（即ち、図９の実施形態を参照して上述した光変調器５４と同様のもの）を、ＩＲプローブ光ビーム経路において採用することができる。
【００５７】
ＤＭＤ結像装置３０の特別の利点は、そのマイクロミラーが、数マイクロ秒以内でその表示位置と転向位置との間で迅速に切り替えられて、出口面１８上に所望のビデオ画像を生成するだけではなく、その個々のピクセルの相対輝度（明度）を制御することもできるようになっていることである。マイクロミラーの切り替え（スイッチング）は、約６０ヘルツにおける典型的なビデオ画像放送のリフレッシュ速度よりも数桁速い。
【００５８】
従って、プローブパターンは、種々の方法にてビデオ画像と時間的及び／又は空間的に互いにかみ合うことができ、表示されるビデオ画像の高い解像度を妥協することなく、シームレス且つ不可視の双方向機能を提供できるようになっている。プローブパターンは、所望により出口面１８の利用可能な表面領域の全体を用いて、ビデオ画像の交互のフレーム間のフレーム内に表示させることができる。或いは、プローブパターンは、ビデオ画像によって取り囲まれた出口面１８の任意の局部的な部分に、同時に表示させることもできる。
【００５９】
プローブパターンは、ビデオ画像自体を形成するために用いられるものも含む導波路によって運ばれる外来の光に対して、内側に向かうプローブ光ビームを検出するための光センサの識別能力を改善するように、好ましくは、時間的にビデオ画像とは独立して表示される。プローブ光ビームを外来の光（ビデオ画像自体を形成するために用いられるものも含む）に対して区別するためにプローブ光ビームの適当な変調を用いることによって、有効な動作のためにプローブパターンをビデオ画像と同時に表示させることができる。
【００６０】
以上、本明細書では、本発明の好ましく又典型的であると思われる実施形態について説明したが、本明細書の教示から当業者には本発明のその他の変更態様が明らかである。従って、添付の特許請求の範囲が、本発明の真の精神及び範囲内にあるそのような変更の全てを包含することを望む。
【００６１】
従って、添付の特許請求の範囲によって規定され、又差別化される発明について特許を請求する。
【図面の簡単な説明】
【００６２】
【図１】図１は、本発明の典型的な一実施形態に従う双方向性ディスプレイシステムの部分断面立面図である。
【図２】図２は、図１に示すディスプレイシステムの図１中の線２−２に沿った部分断面側方立面図である。
【図３】図３は、図１に示す光学パネルの背面の一部の図１中の線３−３にほぼ沿った部分断面拡大図である。
【図４】図４は、光学パネル上に画像を表示するためにデジタルマイクロミラー結像装置をその中に有する図１〜３に示すディスプレイシステムの概略図である。
【図５】図５は、光学パネル上に画像を表示し且つ双方向機能を提供するための図４に示す結像装置の概略図である。
【図６】図６は、図３に示す光学パネルの一部の図３中の線６−６に沿った拡大部分断面立面図である。
【図７】図７は、図６に示す光学パネルの一部の図６中の線７−７に沿った拡大正面図である。
【図８】図８は、双方向機能のための別のプローブパターンを表している図６に示す光学パネルの一部の図７と同様の拡大正面図である。
【図９】図９は、本発明の別の実施形態に従う結像装置の図５と同様の概略図である。
【図１０】図１０は、本発明の別の実施形態に従う結像装置の図５と同様の概略図である。
【図１】
2007504532.tif 000003
【図２】
2007504532.tif 000004
【図３】
2007504532.tif 000005
【図４】
2007504532.tif 000006
【図５】
2007504532.tif 000007
【図６】
2007504532.tif 000008
【図７】
2007504532.tif 000009
【図８】
2007504532.tif 000010
【図９】
2007504532.tif 000011
【図１０】
2007504532.tif 000012
【国際調査報告】
2007504532.tif 000013
2007504532.tif 000014